(57)【要約】【課題】本発明は力のない人でも安全に、楽にベットとポータブルトイレ間の移動を行なうことができるポータブルトイレを得るにある。【解決手段】椅子状のポータブルトイレにおいて、便座およびシートバックを椅子状のフレームに対し、少なくとも一方の外側面にそれぞれ突出するようにスライド移動可能に取付けてポータブルトイレを構成している。【選択図】　図５
2004049817.tif 000002
【特許請求の範囲】
【請求項１】
椅子状のポータブルトイレにおいて、便座およびシートバックを椅子状のフレームに対し、少なくとも一方の外側面にそれぞれ突出するようにスライド移動可能に取付けられていることを特徴とするポータブルトイレ。
【請求項２】
椅子状のポータブルトイレにおいて、椅子状のフレームに対し、少なくとも一方の外側面にそれぞれ突出するようにスライド移動可能に取付けられた便座およびシートバックと、前記椅子状のフレームの前記便座およびシートバックが外方へスライド移動する部位の側面に、該便座およびシートバックのスライド移動を阻止しないように移動可能に取付けられた肘掛けとからなることをことを特徴とするポータブルトイレ。
【請求項３】
椅子状のポータブルトイレにおいて、便座を椅子状のフレームに対し、少なくとも一方の外側面へ突出するようにスライド移動可能に取付けられていることを特徴とするポータブルトイレ。
【請求項４】
椅子状のフレームは便座の高さをベット上にスライド移動できる高さに調整することができる調整機構が設けられていることを特徴とする請求項１ないし請求項３記載のポータブルトイレ。
【請求項５】
椅子状のフレームは床面に固定あるいは床面上を移動可能なロック機構付キャスターあるいは車輪が設けられていることを特徴とする請求項１ないし請求項３記載のポータブルトイレ。
【発明の詳細な説明】
【０００１】
【発明の属する技術分野】
本発明は介護する場合等に使用される椅子状のポータブルトイレに関する。
【０００２】
【従来の技術】
従来の椅子状のポータブルトイレはシートクッション部分を便座にしたものが使用されている。
【０００３】
【発明が解決しようとする課題】
従来の椅子状のポータブルトイレは椅子状に形成されているため、使用者をベットとポータブルトイレの移動に際して、介護する人が使用者を抱きかかえて移動させなければならず、力のない人では移動させることができないとともに、移動中に怪我をさせたりする危険があるという欠点があった。
【０００４】
本発明は以上のような従来の欠点に鑑み、力のない人でも安全に、楽にベットとポータブルトイレ間の移動を行なうことができるポータブルトイレを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は椅子状のポータブルトイレにおいて、便座およびシートバックを椅子状のフレームに対し、少なくとも一方の外側面にそれぞれ突出するようにスライド移動可能に取付けてポータブルトイレを構成している。
【０００７】
【発明の実施の形態】
以下、図面に示す実施の形態により、本発明を詳細に説明する。
【０００８】
図１ないし図８に示す本発明の第１の実施の形態において、１は本発明の椅子状のポータブルトイレで、このポータブルトイレ１は４本の支持脚２、２、２、２、この４本の支持脚２、２、２、２の下部を除く両側面および背面を覆うように該支持脚２、２、２、２に固定された側面板３、３および背面板４、前記支持脚２、２、２、２の下部寄りの部位に固定された底板５、前記後部の支持脚２、２の上端部より上方に突出するように一体あるいは固定的に取付けられたコ字状のシートバック用フレーム６とからなる椅子状のフレーム７と、この椅子状のフレーム７の底板５上に着脱可能に挿入することができる便器８と、前記椅子状のフレーム７の便座取付け部の前・後部位にほぼ水平に固定された固定レール９、９と、この固定レール９、９に左右方向にスライド移動可能に取付けられたスライドレール１０、１０を底面に備えた便座１１と、前記シートバック用フレーム６の上・下部位にほぼ水平に固定された固定レール１２、１２と、この固定レール１２、１２に左右方向にスライド移動可能に取付けられたスライドレール１３、１３を背面に備えた支持ベルト１４を有するシートバック１５と、前記支持脚２、２、２、２に使用時には上方へ突出でき、前記便座１１、シートバック１５のスライド移動時には上部が前記便座１１の下部よりも下方に位置させることができる伸縮可能な肘掛け１６、１６とで構成されている。
【０００９】
上記構成のポータブルトイレ１は使用者の寝ているベット１７の側面に位置させる。
しかる後、便座１１をベット１７上へスライド移動させ、便座１１に座れるように使用者１８を移動させる。
次に、使用者１８を便座１１に座った状態となるように起こし、シートバック１５をスライド移動させて、該シートバック１５に使用者１８の背中を支持させ、支持ベルト１４を使用者１８に取付ける。
しかる後、使用者１８をポータブルトイレ１方向に押し付けることにより、便座１１およびシートバック１５が固定レール９、９、１２、１２上をスライド移動して、元の位置に戻す。
この状態で排泄したり、あるいは肘掛け１６、１６を上方へ伸長させて、肘掛け１６、１６を使用しながら排泄する。
【００１０】
排泄が完了した場合、肘掛け１６、１６を使用した場合には、ベット１７側の肘掛け１６、１６を収納状態にした後、使用者１８をベット１７方向に押し付けることにより、便座１１およびシートバック１５がベット１７方向にスライド移動する。
ベット１７上に使用者１８が位置すると支持ベルト１４を外し、使用者の上半身を支持しながらシートバック１５を元の位置に戻し、使用者１８を寝かせる。
しかる後、使用者の下半身を便座１１より移動させて、便座１１を元の位置へ戻すことでトイレの使用ができる。
【００１１】
【発明の異なる実施の形態】
次に、図９ないし図２０に示す本発明の異なる実施の形態につき説明する。なお、これらの本発明の異なる実施の形態の説明に当って、前記本発明の第１の実施の形態と同一構成部分には同一符号を付して重複する説明を省略する。
【００１２】
図９ないし図１２に示す本発明の第２の実施の形態において、前記本発明の第１の実施の形態と主に異なる点は、便座１１の一側面にヒンジ部材１９を介して回動可能に肘掛け１６Ａを取付け、該肘掛け１６Ａをほぼ水平方向に回動させると、固定レール９、９とスライド移動可能に係合するスライドレール１０Ａ、１０Ａを肘掛け１６Ａの外側面に固定し、肘掛け１６Ａを使用できる立設状態に係止する係止具２０を設けた点で、このように構成したポータブルトイレ１Ａは、前記本発明の第１の実施の形態と同様な作用効果が得られるとともに、便座１１全体をベット１７上へ移動させて、使用者１８を便座１１に座れるように移動できるため、より楽で、スムーズに使用者を移動させて使用することができる。
【００１３】
図１３ないし図１７に示す本発明の第３の実施の形態において、前記本発明の第１の実施の形態と主に異なる点は、便座１１部位を任意に高さに調整することができる椅子状のフレーム７Ａを用いた点で、この椅子状のフレーム７Ａは２個の自在車輪２１、２１および、２個の固定車輪２２、２２が取付けられたチャンネル材を用いた一対の車輪支持レール２３、２３、この一対の車輪支持レール２３、２３を所定間隔に固定する支持バー３６、３６と、前記一対の車輪支持レール２３、２３に下方へ突出して、前記自在車輪２１、２１と固定車輪２２、２２が床面から離れるように位置させることができる固定手段２５、２５、２５、２５とからなる車輪取付けフレーム２６と、この車輪取付けフレーム２６の一対の車輪支持レール２３、２３の先端部に下端部が枢支ピン２７、２７で枢支された一対の一方の支持バー２４、２４、前記一対の車輪支持レール２３、２３の後端部に下端部がスライド移動可能に支持され、ほぼ中央部を前記一対の一方の支持バー２４、２４のほぼ中央部に枢支ピン２８、２８で枢支された一対の他方の支持バー２４、２４、前記一対の一方の支持バー２４、２４の上端部に後端部が枢支ピン２９、２９で枢支され、他端部が前記一対の他方の支持バー２４、２４の上端部をスライド可能に覆う、前記便座１１のスライドレール１０、１０と係合する固定レール９、９が固定された一対の上部支持バー３０、３０と、前記一対の一方の支持バー２４、２４の上端部から上部後方へ突出するように取付けられた一対の取っ手３１、３１を有するシートバック用フレーム６Ａと、前記一対の他方の支持バー２４、２４の下部寄りの部位に両端部が溶接等によって固定されたねじ孔３２が形成された移動バー３３と、この移動バー３３のねじ孔３２と螺合する先端部が前記車輪取付けフレーム２６に回動可能に取付けられ、後端部にクランク状のハンドル３４が形成された高さ調整ハンドル３５とで構成されている。
このように構成されたポータブルトイレ１Ｂは、前記本発明の第１の実施の形態と同様な作用効果が得られるとともに、ベットの高さに便座の高さを合わせて使用することができる。
【００１４】
図１８ないし図２０に示す本発明の第４の実施の形態において、前記本発明の第２の実施の形態と主に異なる点は、シートバック用フレーム６にシートバック１５Ａを固定的に取付けた点で、このように構成したポータブルトイレ１Ｃにしても、前記本発明の第２の実施の形態と同様な作用効果が得られる。
【００１５】
【発明の効果】
以上の説明から明らかなように、本発明にあっては次に列挙する効果が得られる。
【００１６】
（１）椅子状のポータブルトイレにおいて、便座およびシートバックを椅子状のフレームに対し、少なくとも一方の外側面にそれぞれ突出するようにスライド移動可能に取付けたので、便座をベット上に移動させて、使用者が便座に座れるように位置させてから、便座と使用者を使用位置へ移動させることができる。
したがって、従来のように使用者を抱きかかえて持ち上げながら移動させるものに比べ、使用者を支えながらスライド移動させるため、力のない人でも気軽にベットとポータブルトイレ間の移動を行なうことができる。
【００１７】
（２）前記（１）によって、便座およびシートバックがフレーム部材の、少なくとも一方の外側面へ突出するので、移動時に使用者の上半身と下半身を支持できる。
したがって、ベットとポータブルトイレ間の移動が、一人でも安全に行なうことができる。
【００１８】
（３）前記（１）によって、構造が簡単であるので、容易に製造することができる。
【００１９】
（４）請求項２、３、４、５も前記（１）〜（３）と同様な効果が得られる。
【図面の簡単な説明】
【図１】本発明の第１の実施の形態の正面図。
【図２】本発明の第１の実施の形態の側面図。
【図３】本発明の第１の実施の形態の平面図。
【図４】図１の４−４線に沿う断面図。
【図５】便座を外方へ移動させた状態の説明図。
【図６】使用者を便座に座れるように移動させた説明図。
【図７】使用者を起こしてシートバックを外方へ移動させた説明図。
【図８】使用できる状態へ移動させる説明図。
【図９】本発明の第２の実施の形態の正面図。
【図１０】本発明の第２の実施の形態の側面図。
【図１１】便座を移動させた状態の説明図。
【図１２】本発明の第２の実施の形態の使用状態の説明図。
【図１３】本発明の第３の実施の形態の正面図。
【図１４】本発明の第３の実施の形態の側面図。
【図１５】本発明の第３の実施の形態の背面図。
【図１６】フレーム部材の説明図。
【図１７】高さ調整する場合の説明図。
【図１８】本発明の第４の実施の形態の正面図。
【図１９】本発明の第４の実施の形態の側面図。
【図２０】本発明の第４の実施の形態の動作説明図。
【符号の説明】
１、１Ａ、１Ｂ、１Ｃ：ポータブルトイレ、
２：支持脚、　　　　　　３：側面板、
４：背面板、　　　　　　５：底板、
６、６Ａ：シートバック用フレーム、
７、７Ａ：椅子状のフレーム、
８：便器、　　　　　　　９：固定レール、
１０、１０Ａ：スライドレール、
１１：便座、　　　　　　１２：固定レール、
１３：スライドレール、　１４：支持ベルト、
１５、１５Ａ：シートバック、
１６、１６Ａ：肘掛け、　１７：ベット、
１８：使用者、　　　　　１９：ヒンジ部材、
２０：係止具、　　　　　２１：自在車輪、
２２：固定車輪、　　　　２３：車輪支持フレーム、
２４：支持バー、　　　　２５：固定手段、
２６：車輪取付けフレーム、
２７：枢支ピン、　　　　２８：枢支ピン、
２９：枢支ピン、　　　　３０：上部支持バー、
３１：取っ手、　　　　　３２：ねじ孔、
３３：移動バー、　　　　３４：ハンドル、
３５：高さ調整ハンドル。
【図１】
2004049817.tif 000003
【図２】
2004049817.tif 000004
【図３】
2004049817.tif 000005
【図４】
2004049817.tif 000006
【図５】
2004049817.tif 000007
【図６】
2004049817.tif 000008
【図７】
2004049817.tif 000009
【図８】
2004049817.tif 000010
【図９】
2004049817.tif 000011
【図１０】
2004049817.tif 000012
【図１１】
2004049817.tif 000013
【図１２】
2004049817.tif 000014
【図１３】
2004049817.tif 000015
【図１４】
2004049817.tif 000016
【図１５】
2004049817.tif 000017
【図１６】
2004049817.tif 000018
【図１７】
2004049817.tif 000019
【図１８】
2004049817.tif 000020
【図１９】
2004049817.tif 000021
【図２０】
2004049817.tif 000022